(57)【要約】【課題】遮蔽層への接地線の取り付けを簡単かつ強固に行うことができる接地線の取り付け構造を提供する。【解決手段】接地線５の端部に取り付けた導電性テープ６を、ケーブル１の遮蔽層３の外周に巻き付け、遮蔽層３の外周に巻き付けた導電性テープ６の上に、該導電性テープ６を押さえるための保持部材７を設ける。保持部材７は、ばね弾性を有し、且つ遮蔽層３の外周に巻き付けた導電性テープ６上に嵌合可能な断面略Ｃ字形状に形成されている。【選択図】  図１
2004335748.tif 000002
【特許請求の範囲】
【請求項１】
接地線に導電性テープを取り付け、該導電性テープをケーブルの遮蔽層の外周に巻き付け、該遮蔽層の外周に巻き付けた導電性テープの上に、該導電性テープを押さえるための保持部材を設けたことを特徴とする接地線の取り付け構造。
【請求項２】
前記導電性テープの巻き付けを、該導電性テープ同士が重なり合う部分を有するようにして行ったことを特徴とする請求項１に記載の接地線の取り付け構造。
【請求項３】
前記保持部材を、ばね弾性を有し、且つ前記遮蔽層の外周に巻き付けた導電性テープ上に嵌合可能な断面略Ｃ字形状に形成したことを特徴とする請求項１又は２に記載の接地線の取り付け構造。
【請求項４】
前記断面略Ｃ字形状の保持部材の開口部における両端部を、外側に向かうＲ形状としたことを特徴とする請求項３に記載の接地線の取り付け構造。
【請求項５】
前記断面略Ｃ字形状の保持部材を、その開口部に前記接地線が位置するようにして嵌合したことを特徴とする請求項３又は４に記載の接地線の取り付け構造。
【発明の詳細な説明】
【０００１】
【発明の属する技術分野】
本発明は、ケーブルの遮蔽層を接地するための接地線の取り付け構造に関する。
【０００２】
【従来の技術】
ケーブルにおける遮蔽特性確保及び安全性確保のため、銅テープや、波付鋼管・鋼帯・鉄線等の金属がい装などで構成される遮蔽層の接地が行われている。従来における遮蔽層を接地するための方法として、銅線又はすずめっき銅線等の接地線を遮蔽層の上にペンチ等を用いて直接巻き付け、かかる接地線をはんだごてを用いて半田付けすることにより接地線を取り付けて接地を行う方法が知られている。
【０００３】
また、他の接地方法として、ばね弾性を有する断面略Ｃ字形状の保持部材に接地線を取り付け、この保持部材を遮蔽層に嵌合して接地を行う方法も知られている（例えば、特許文献１参照。）。
【０００４】
【特許文献１】
特開平９−１３５５２３号公報
【０００５】
【発明が解決しようとする課題】
しかしながら、上記遮蔽層の上に接地線を直接巻き付けて半田付けを行い接地線を取り付ける方法にあっては、はんだごて、ペンチ等の工具が余分に必要になるとともに、取り付け作業に対して熟練が必要である。また、取り付け作業に時間がかかり、作業性が悪い。
【０００６】
一方、上記特許文献１に記載の接地方法においてはこのような問題はなく、遮蔽層への接地線の取り付けが簡単になるものの、保持部材を嵌合させただけでは遮蔽層に対する保持力が不十分となり、取り付け性が悪くなる場合もある。例えば、遮蔽層が波付き鋼管・鋼帯・鉄線等の金属がい装である場合には、表面が凹凸形状となっていることから、取り付け性が悪くなるおそれがある。
【０００７】
本発明の目的は、遮蔽層への接地線の取り付けを簡単かつ強固に行うことができる接地線の取り付け構造を提供することにある。
【０００８】
【課題を解決するための手段】
上記目的を達成するために、請求項１に記載の発明は、接地線に導電性テープを取り付け、該導電性テープをケーブルの遮蔽層の外周に巻き付け、該遮蔽層の外周に巻き付けた導電性テープの上に、該導電性テープを押さえるための保持部材を設けたことを特徴とする。
【０００９】
このような請求項１に記載の本発明によれば、前記接地線に取り付けられた導電性テープを遮蔽層の外周に巻き付け、その上に前記保持部材を設けることにより接地線を取り付けるので、特に工具を必要とすることなく、短時間で簡単に接地線を取り付けることができる。また、このように取り付けが簡単なので特別な熟練を必要とせずに作業を行うことができる。
【００１０】
また、接地線は、導電性テープを遮蔽層の外周に巻き付けこの導電性テープの上に前記保持部材を設けることにより遮蔽層に取り付けられるので、接地線を強い保持力で安定して遮蔽層に取り付けることができる。これにより、遮蔽層が、表面上に凹凸がある波付鋼管・鋼帯・鉄線等の金属がい装であっても、接地線を強固に取り付けることができる。
【００１１】
さらに、接地線は遮蔽層の外周に巻き付けた導電性テープにより遮蔽層と電気的に接触しているので、接地線と遮蔽層との接触抵抗を小さくすることができる。
【００１２】
請求項２に記載の発明は、前記導電性テープの巻き付けを、該導電性テープ同士が重なり合う部分を有するようにして行ったことを特徴とする。
【００１３】
このような請求項２に記載の本発明によれば、遮蔽層への導電性テープの巻き付け時に、導電性テープ同士が重なり合う部分においては、上の導電性テープによって下の導電性テープが押さえられ、遮蔽層に巻き付けた導電性テープが締め付けられる。これにより、導電性テープ上に前記保持部材を設ける際に導電性テープに皺が発生することを防止することができ、またこのような皺が発生することによる取り付け作業性の悪化を防止することができる。
【００１４】
請求項３に記載の発明は、前記保持部材を、ばね弾性を有し、且つ前記遮蔽層の外周に巻き付けた導電性テープ上に嵌合可能な断面略Ｃ字形状に形成したことを特徴とする。
【００１５】
このような請求項３に記載の本発明によれば、遮蔽層の外周に巻き付けた導電性テープ上に前記ばね弾性を有する保持部材を嵌合することにより、導電性テープを押さえるための十分な押圧力が加わる。これにより、接地線を一層強固に取り付けることができる。また、遮蔽層の外周に導電性テープを巻き付け、この導電性テープの上に前記のように形成された保持部材を嵌合するだけで接地線を取り付けることができるので、作業性を良好なものとすることができる。
【００１６】
請求項４に記載の発明は、前記断面略Ｃ字形状の保持部材の開口部における両端部を、外側に向かうＲ形状としたことを特徴とする。
【００１７】
このような請求項４に記載の本発明によれば、前記保持部材を遮蔽層の外周上に巻き付けた導電性テープ上に嵌合させる際、遮蔽層に傷がつくことを防止することができる。
【００１８】
請求項５に記載の発明は、前記断面略Ｃ字形状の保持部材を、その開口部に前記接地線が位置するようにして嵌合したことを特徴とする。
【００１９】
このような請求項５に記載の本発明によれば、前記保持部材を、前記遮蔽層の外周上に巻き付けた導電性テープ上に密着した状態で嵌合させることができる。これにより、接地線を一層強固に取り付けることができるとともに、導電性テープを遮蔽層に対して密着させることができ、接触抵抗を一層小さくすることができる。
【００２０】
【発明の実施の形態】
以下、図面を参照して本発明に係る接地線の取り付け構造の実施の形態の一例を説明する。
図１は本例の接地線の取り付け構造を示す平面図、図２は図１に示す接地線を示す図、図３は図１に示す保持部材の斜視図である。
【００２１】
図１において、１は接地線が取り付けられるケーブルであり、このケーブル１は、線心２の上に、銅テープや、波付鋼管・鋼帯・鉄線等の金属がい装などで構成される遮蔽層３が設けられ、さらにこの遮蔽層３の上にシース４が設けられて構成されている。
【００２２】
そして、シース４を皮むきして露出させた遮蔽層３に、図２に示すような接地線５が取り付けられている。接地線５は軟銅線又はすずめっき軟銅線等であり、その端部に導電性テープ６が取り付けられている。そして、この導電性テープ６を遮蔽層３の外周に巻き付け、巻き付けた導電性テープ６の上に、図３に示す断面略Ｃ字形状に形成された保持部材７を嵌合することにより、接地線５が遮蔽層３に取り付けられている。
【００２３】
前記導電性テープ６は、銅テープ又はすずめっき銅テープ等であり、その一端部が接地線５の端部に巻き付けられ半田付けや冷間圧接等によって接地線５に取り付けられている。
【００２４】
この導電性テープ６の長さは、遮蔽層３の外周に少なくとも２周以上巻き付けることができる長さとなっている。これにより、遮蔽層３の外周に導電性テープ６を巻き付けたときに、導電性テープ同士が重なり合う部分を有するようになっている。
【００２５】
前記保持部材７は、その開口部８に接地線５が位置するようにして遮蔽層３の外周に巻き付けた導電性テープ６の上に嵌合している。
【００２６】
この保持部材７は、前記導電性テープ６の幅とほぼ同じ幅になっている帯状のスチールばね材により形成されている。また、保持部材７は、遮蔽層３の外周に巻き付けた導電性テープ６上に嵌合可能となるように形成されている。
【００２７】
より詳細には、この保持部材７の径は、ケーブル１における遮蔽層３の導電性テープ６を巻き付けた箇所の径よりもやや小さくなっている。そして、遮蔽層３に巻き付けた導電性テープ６上に嵌合したときに、ばね弾性によって導電性テープ６が押さえられ、導電性テープ６が遮蔽層３の外周上に密着されるとともに解けることが防止されるようになっている。
【００２８】
保持部材７の開口部８における両端部７ａ，７ａは外側に向かうＲ形状となっている。
【００２９】
次に、接地線５の取り付け方法について説明する。
先ず、ケーブル１のシース４を皮むきして遮蔽層３を露出させ、この遮蔽層３の外周に、接地線５の端部に取り付けられた導電性テープ６を巻き付ける。このとき、導電性テープ６は遮蔽層３の外周に２周以上巻き付けられる。次に、このようにして遮蔽層３の外周に巻き付けられた導電性テープ６の上に、保持部材７を嵌合する。このとき、保持部材７の開口部８に接地線５が位置するようにして保持部材７を嵌合する。以上により、接地線５の取り付けが完了する。
【００３０】
以上説明した本例の接地線の取り付け構造によれば、接地線５に取り付けられた導電性テープ６を遮蔽層３の外周に巻き付け、その上に前記保持部材７を嵌合することにより接地線５を取り付けるので、特に工具を必要とすることなく、短時間で簡単に接地線５を取り付けることができる。また、このように取り付けが簡単なので特別な熟練を必要とせずに作業を行うことができる。
【００３１】
また、導電性テープ６を遮蔽層３の外周に巻き付けこの導電性テープ６の上に前記保持部材７を嵌合することにより接地線５を取り付けるので、接地線５を強い保持力で安定して遮蔽層３に取り付けることができる。さらに、遮蔽層３の外周に巻き付けられた導電性テープ６上に前記ばね弾性を有する保持部材７が嵌合されていることから、接地線５は一層強い保持力で強固に取り付けられる。これにより、遮蔽層３が、表面上に凹凸がある波付鋼管・鋼帯・鉄線等の金属がい装であっても、接地線５を強固に取り付けることができる。
【００３２】
さらに、接地線５は遮蔽層３上に巻き付けた導電性テープ６により遮蔽層３と電気的に接触していることから、接地線５と遮蔽層３との接触抵抗を小さくすることができる。
【００３３】
また、保持部材７は、その開口部８に前記接地線５が位置するようにして嵌合しているので、前記遮蔽層３の外周上に巻き付けた導電性テープ６上に密着した状態で嵌合する。これにより、接地線５を一層強固に取り付けることができるとともに、導電性テープ６を遮蔽層３に対して密着させることができ、接触抵抗を一層小さくすることができる。
【００３４】
また、保持部材７の開口部８における両端部７ａ，７ａは、外側に向かうＲ形状となっているので、保持部材７を遮蔽層３の外周に巻き付けた導電性テープ６上に嵌合させる際、遮蔽層３に傷がつくことを防止することができる。
【００３５】
また、導電性テープ６は遮蔽層３に２周以上巻き付けられているので、導電性テープ６同士が重なり合う部分を有している。この部分においては、導電性テープ６の巻き付け時に、上の導電性テープによって下の導電性テープが押さえられ、遮蔽層３に巻き付けた導電性テープ６が締め付けられる。これにより、導電性テープ６上に保持部材７を嵌合させる際に導電性テープ６に皺が発生することを防止することができ、またこのような皺が発生することによる取り付け作業性の悪化を防止することができる。
【００３６】
なお、前記保持部材７は、本例においてはスチールばね材により形成されているが、ばね弾性を有していればこのような材質で形成されているものに限られるものではなく、例えば、ステンレス等の金属材料、ポリエチレン等のプラスチック材料等で形成されていてもよい。
【００３７】
【発明の効果】
以上説明したように請求項１に記載の発明によれば、特に工具を必要とすることなく、短時間で簡単に接地線を取り付けることができる。また、接地線の取り付け作業を行うにあたり、特別な熟練を必要としない。さらに、遮蔽層に取り付けられた接地線は強い保持力で安定した状態で取り付けられる。これにより、遮蔽層が、表面上に凹凸がある波付鋼管・鋼帯・鉄線等の金属がい装であっても、接地線を強固に取り付けることができる。
また、接地線は遮蔽層の外周に巻き付けた導電性テープにより遮蔽層と電気的に接触しているので、接地線と遮蔽層との接触抵抗を小さくすることができる。
【００３８】
請求項２に記載の発明によれば、導電性テープ上に前記保持部材を設ける際に導電性テープに皺が発生することを防止することができ、またこのような皺が発生することによる取り付け作業性の悪化を防止することができる。
【００３９】
請求項３に記載の発明によれば、接地線を遮蔽層に一層強固に取り付けることができる。また、作業性を良好なものとすることができる。
【００４０】
請求項４に記載の発明によれば、保持部材を遮蔽層の外周上に巻き付けた導電性テープ上に嵌合させる際、遮蔽層に傷がつくことを防止することができる。
【００４１】
請求項５に記載の発明によれば、保持部材を、遮蔽層の外周上に巻き付けた導電性テープ上に密着した状態で嵌合させることができる。これにより、接地線を一層強固に取り付けることができるとともに、導電性テープを遮蔽層に対して密着させることができ、接触抵抗を一層小さくすることができる。
【図面の簡単な説明】
【図１】本例の接地線の取り付け構造を示す平面図
【図２】図１に示す接地線を示す図
【図３】図１に示す保持部材の斜視図。
【符号の説明】
１      ケーブル
２      線心
３      遮蔽層
４      シース
５      接地線
６      導電性テープ
７      保持部材
７ａ    両端部
８      開口部
【図１】
2004335748.tif 000003
【図２】
2004335748.tif 000004
【図３】
2004335748.tif 000005